(57)【要約】【課題】車両衝突時に高い衝突安全性を有する車両用シートとする。【解決手段】シートバック２と、シートバック２の骨格となるシートバックフレーム５と、シートバックフレーム５に支軸９により車両前後方向に傾動可能に軸支された枠状支持フレーム６と、支持フレーム６上部に支持されるヘッドレスト４と、支持フレーム６を常時車両後方に傾動付勢するコイルバネ７とを備えている。支持フレーム６下部には、乗員Ｐの車両後方移動に伴う荷重を受けて支持フレーム６をコイルバネ７に抗して車両前方に傾動させる受圧部６２が設けられ、支持フレーム６の支軸９下方には、脆弱部６３が設けられている。車両衝突時に受圧部６２に乗員Ｐの荷重が作用することで、支持フレーム６が車両前方に傾動してヘッドレスト４が乗員Ｐの後頭部を車両前方に押圧し、その反動とコイルバネ７の付勢力とにより支持フレーム６が車両後方に傾動して脆弱部６３を起点に屈曲する。【選択図】図４
2012091565.tif 000002
【特許請求の範囲】
【請求項１】
乗員の背もたれとなるシートバックと、
該シートバックの骨格となるシートバックフレームと、
該シートバックフレームに支軸により車両前後方向に傾動可能に軸支された枠状支持フレームと、
上記支持フレーム上部に高さ調節可能に支持されるヘッドレストと、
一端が上記支持フレームに連結されるとともに他端が上記シートバックフレームに連結され、上記支持フレームを常時、車両後方に傾動付勢する付勢部材とを備え、
上記支持フレーム下部には、乗員の車両後方移動に伴う荷重を受けて支持フレームを上記付勢部材に抗して車両前方に傾動させる受圧部が設けられるとともに、上記支持フレームの上記支軸上方又は下方の少なくとも一方には、脆弱部が設けられ、
車両衝突時にその衝撃で上記受圧部に乗員の荷重が作用することで、上記支持フレームが車両前方に傾動して上記ヘッドレストが乗員の後頭部を車両前方に押圧し、その反動と上記付勢部材の付勢力とにより上記支持フレームが車両後方に傾動して上記脆弱部を起点に屈曲するように構成されていることを特徴とする車両用シート。
【請求項２】
請求項１に記載の車両用シートであって、
上記脆弱部は、側面視で薄肉状に形成されていることを特徴とする車両用シート。
【発明の詳細な説明】
【技術分野】
【０００１】
本発明は、車両衝突時にシートバックに対してヘッドレストを車両前方に傾動させて乗員のむち打ち症状を軽減させるように構成された車両用シートに関する。
【背景技術】
【０００２】
従来より、車両用シートには、車両衝突時にヘッドレストを車両前方に傾動させて乗員の後頭部に押圧させることにより、乗員のむち打ち症状を軽減させるようにしたものが知られている。例えば、特許文献１の車両用シートは、シートバックの骨格をなし、正面視で下方に開放する略門型状のシートバックフレームと、正面視で下方に開放する略逆Ｕ字状をなし、下端部分に水平方向に延びる受圧板が設けられたヘッドレスト用ステーとを有していて、該ステーが前後に傾動可能に上記シートバックフレームに軸支されている。そして、車両衝突時にその衝撃で乗員が車両後方に移動すると、乗員の荷重を受けた上記受圧板が車両後方に移動するとともに、ヘッドレストが車両前方に傾動して乗員の後頭部に押圧するようになっている。
【先行技術文献】
【特許文献】
【０００３】
【特許文献１】特開２００１−５８５２９号公報（段落００３０欄、図１）
【発明の概要】
【発明が解決しようとする課題】
【０００４】
しかし、特許文献１の如き車両用シートでは、車両衝突時にその衝撃で乗員が車両後方に移動すると、受圧板の車両後方移動に伴って支持フレームが車両前方に傾動して上記ヘッドレストが乗員の後頭部を押圧し、その反動に伴う支持フレームの車両後方への傾動動作で受圧板が車両前方に移動しようとして乗員の体を車両前方へ向かって押してしまう。したがって、乗員に加わる衝撃をシートバックで十分に吸収できなくなってしまい、高い衝突安全性を得ることができない。
【０００５】
本発明は斯かる点に鑑みてなされたものであり、その目的とするところは、車両衝突時に、乗員のむち打ち症状を軽減させるとともに、シートバックで乗員に加わる衝撃を十分に吸収して高い衝突安全性を得ることができる車両用シートを提供することにある。
【課題を解決するための手段】
【０００６】
上記の目的を達成するために、本発明は、ヘッドレストを支持する支持フレームに脆弱部を設けたことを特徴とする。
【０００７】
具体的には、第１の発明では、乗員の背もたれとなるシートバックと、該シートバックの骨格となるシートバックフレームと、該シートバックフレームに支軸により車両前後方向に傾動可能に軸支された枠状支持フレームと、上記支持フレーム上部に高さ調節可能に支持されるヘッドレストと、一端が上記支持フレームに連結されるとともに他端が上記シートバックフレームに連結され、上記支持フレームを常時、車両後方に傾動付勢する付勢部材とを備え、上記支持フレーム下部には、乗員の車両後方移動に伴う荷重を受けて支持フレームを上記付勢部材に抗して車両前方に傾動させる受圧部が設けられるとともに、上記支持フレームの上記支軸上方又は下方の少なくとも一方には、脆弱部が設けられ、車両衝突時にその衝撃で上記受圧部に乗員の荷重が作用することで、上記支持フレームが車両前方に傾動して上記ヘッドレストが乗員の後頭部を車両前方に押圧し、その反動と上記付勢部材の付勢力とにより上記支持フレームが車両後方に傾動して上記脆弱部を起点に屈曲するように構成されていることを特徴とする。
【０００８】
第２の発明では、第１の発明において、上記脆弱部は、側面視で薄肉状に形成されていることを特徴とする。
【発明の効果】
【０００９】
第１の発明によれば、車両衝突時の乗員の車両後方移動により、支持フレームが車両前方に傾動してヘッドレストが乗員の後頭部を押圧するので、乗員の後頭部への衝撃が緩和されて乗員のむち打ち症状が軽減され、衝突安全性を高めることができる。また、車両衝突時にヘッドレストが乗員の後頭部を押圧し、その反動で支持フレームが車両後方に傾動する際、上記支持フレームは脆弱部を起点に屈曲するので、受圧部から乗員に加わる力が弱くなる。したがって、乗員は車両衝突時に上記受圧部によって車両前方に向かって押されることがなく、シートバックで衝撃が十分に吸収されるようになり、乗員の衝突安全性を高めることができる。
【００１０】
第２の発明によれば、支持フレームの車両前後方向の厚みを薄くすることで脆弱部が構成されているので、支持フレームの屈曲する方向が、脆弱部を境に車両前後方向となる。したがって、車両衝突時に乗員が車両後方に移動した場合、脆弱部を起点に確実に支持フレームを車両前後方向に屈曲させることができる。
【図面の簡単な説明】
【００１１】
【図１】実施形態に係る車両用シートの斜視図である。
【図２】実施形態に係る車両用シートのフレーム構造を示す斜視図である。
【図３】実施形態に係る車両用シートのフレーム構造を背面側から見た斜視図である。
【図４】実施形態に係る車両用シートに乗員が着座している状態を示し、（ａ）は、通常状態を、（ｂ）は、車両衝突時に乗員が車両用シートに対して後方移動している途中の状態を、（ｃ）は、車両衝突時に乗員が車両用シートに対して後方移動した後の状態をそれぞれ示す側面図である。
【発明を実施するための形態】
【００１２】
以下、本発明の実施形態を図面に基づいて詳細に説明する。尚、以下の好ましい実施形態の説明は、本質的に例示に過ぎない。
【００１３】
図１は、本発明の実施形態に係る車両用シート１を示す。該車両用シート１は、車両内部で乗員Ｐ（図４に示す）が着座するために車体フロアＦに設置されたものであり、乗員Ｐの背もたれとなるシートバック２と、座面を構成するシートクッション３と、上記シートバック２の上部に位置するヘッドレスト４とを備えていて、上記車体フロアＦに固定された車両前後方向に延びる左右一対のスライドレールＳｌで車両前後方向にスライド調節可能となっている。
【００１４】
上記シートバック２は、図２及び図３に示すように、上記シートバック２の骨格となるシートバックフレーム５を備えていて、該シートバックフレーム５は、正面視で下方に開放する略門型状をなしている。
【００１５】
上記シートバックフレーム５の上下方向中途部には、パイプ部材を略矩形枠状に曲げ加工して形成された支持フレーム６が、左右一対の支軸９により車両前後方向に傾動可能に軸支されている。上記支持フレーム６の上部後方には、棒状の鋼材を曲げ加工により形成した正面視で上方に開放する略コ字状のバネ支持部材６４が下方に垂設されている。
【００１６】
そして、上記バネ支持部材６４下端の左右に延びる水平部分には、コイルバネ（付勢部材）７の一端が連結され、該コイルバネ７の他端が上記シートバックフレーム５に連結されていて、上記支持フレーム６は、上記コイルバネ７により、上記シートバックフレーム５に対して常時車両後方に傾動した状態が維持されるようになっている。したがって、通常時には、上記支持フレーム６が上記シートバックフレーム５に対して車両前方に傾動することはない。
【００１７】
また、上記支持フレーム６の上部前方には、上下方向に延びる略直方体状のステー支持部６１が車幅方向に間隔をあけて一対固定されていて、該ステー支持部６１には、上記ヘッドレスト４から下方に延びる左右一対のステー４ａが挿通され、上記ヘッドレスト４が、図示しない高さ調節機構により、上記シートバック２に対して上下に高さ調節可能に支持されるようになっている。
【００１８】
一方、上記支持フレーム６下部の右端周辺及び左端周辺を除く中央部分には、受圧部６２が形成されていて、該受圧部６２の前部は、プレス成形で後方に向かって変形させた略平滑な形状をなしている。そして、上記受圧部６２は、図４に示すように、乗員Ｐが車両用シート１に着座した状態で、乗員Ｐの腰周辺に位置していて、車両衝突時の乗員Ｐの車両後方移動に伴う荷重を受けて支持フレーム６をコイルバネ７の付勢力に抗して車両前方に傾動させるようになっている。
【００１９】
さらに、上記支持フレーム６の支軸９下方後側には、上下に延びるパイプ部分を側面視で略凹状となるようにプレス成形で前方に変形させた薄肉状脆弱部６３が左右一対形成されていている。
【００２０】
そして、上記支持フレーム６は、車両衝突時にその衝撃で上記受圧部６２に乗員の荷重が作用することで、上記支持フレーム６が車両前方に傾動して上記ヘッドレスト４が乗員Ｐの後頭部を車両前方に押圧し、その反動と上記コイルバネ７の付勢力とにより上記支持フレーム６が車両後方に傾動して上記脆弱部６３を起点に屈曲するようになっている。
【００２１】
また、上記シートバック２は、上記シートバックフレーム５、支持フレーム６及びコイルバネ７を覆うクッション材８（図１に示す）を備えていて、該クッション材８で車両衝突時に乗員Ｐに加わる衝撃を吸収するようになっている。
【００２２】
このように構成された車両用シート１では、例えば、後方から他の車両が衝突すると、上記車両用シート１に着座する乗員Ｐが、図４（ａ）に示すように、その衝撃で車両後方に移動する。そして、シートバック２の前方側に大きな荷重がかかり、乗員Ｐの腰周辺が上記支持フレーム６の受圧部６２に接触する。
【００２３】
そして、さらに乗員Ｐが車両後方側に移動し、それに伴って上記受圧部６２が車両後方に移動すると、上記コイルバネ７の付勢力に抗して上記支持フレーム６が車両前方に傾動し、ヘッドレスト４が乗員Ｐの後頭部を押圧する。
【００２４】
しかる後、図４（ｂ）、（ｃ）に示すように、ヘッドレスト４が乗員Ｐの後頭部を押圧した反動とコイルバネ７の付勢力とにより、上記支持フレーム６が車両後方に傾動して上記脆弱部６３を起点に屈曲する。
【００２５】
したがって、本発明の実施形態によれば、車両衝突時の乗員Ｐの車両後方移動により、支持フレーム６が車両前方に傾動してヘッドレスト４が乗員Ｐの後頭部を押圧するので、乗員Ｐの後頭部への衝撃が緩和されて乗員Ｐのむち打ち症状が軽減され、衝突安全性を高めることができる。また、車両衝突時にヘッドレスト４が乗員Ｐの後頭部を押圧し、その反動で支持フレーム６が車両後方に傾動する際、上記支持フレーム６は脆弱部６３を起点に屈曲するので、受圧部６２から乗員Ｐに加わる力が弱くなる。したがって、乗員Ｐは車両衝突時に上記受圧部６２によって車両前方に向かって押されることがなく、シートバック２で衝撃が十分に吸収されるようになり、乗員Ｐの衝突安全性を高めることができる。
【００２６】
また、支持フレーム６の車両前後方向の厚みを薄くすることで脆弱部６３が構成されているので、支持フレーム６の屈曲する方向が、脆弱部６３を境に車両前後方向となる。したがって、車両衝突時に乗員Ｐが車両後方に移動した場合、脆弱部６３を起点に確実に上記支持フレーム６を車両前後方向に屈曲させることができる。
【００２７】
尚、本発明の実施形態では、脆弱部６３を支持フレーム６の支軸９下方に設けたが、支持フレーム６の支軸９上方に設けてもよいし、支持フレーム６の支軸９上方及び下方の両方に設けてもよい。
【００２８】
また、本発明の実施形態では、支持フレーム６の上下に延びるパイプ部分の後側を前方に変形させることにより脆弱部６３としているが、これに限らず、支持フレーム６の上下に延びるパイプ部材の前側を後方に変形させることにより脆弱部６３としてもよい。
【００２９】
また、本発明の実施形態では、脆弱部６３は、支持フレーム６を変形させることにより形成しているが、これに限らず、例えば、支持フレーム６の上下に延びるパイプ部分の一部を切り欠いて脆弱部６３としてもよい。
【産業上の利用可能性】
【００３０】
本発明は、車両衝突時にシートバックに対してヘッドレストを車両前方に傾動させて乗員のむち打ち症状を軽減させるように構成された車両用シートに適している。
【符号の説明】
【００３１】
１        車両用シート
２        シートバック
４        ヘッドレスト
５        シートバックフレーム
６        支持フレーム
７        コイルバネ（付勢部材）
９        支軸
６２        受圧部
６３        脆弱部
【図１】
2012091565.tif 000003
【図２】
2012091565.tif 000004
【図３】
2012091565.tif 000005
【図４】
2012091565.tif 000006